【手続補正書】
【提出日】平成15年11月5日(2003.11.5)
【手続補正１】
【補正対象書類名】明細書
【補正対象項目名】特許請求の範囲
【補正方法】変更
【補正の内容】
【特許請求の範囲】
【請求項１】
記録ヘッドから記録媒体へインクを吐出して記録を行うインクジェット記録装置であって、
前記記録媒体を装置外に排出する排出手段と、
前記記録ヘッドのインク吐出口面をクリーニングするためのワイピング手段と、
前記記録ヘッドから吐出されるインク液滴の数をカウントするカウント手段と、
前記カウント手段によるカウント結果に基づいて、前記記録ヘッドによる記録媒体１頁への記録中に前記ワイピング手段により前記記録ヘッドのインク吐出面をクリーニングするかどうかを決定する第１決定手段と、
前記カウント手段によるカウント結果に基づいて、前記記録ヘッドにより記録された記録媒体を前記排出手段によって排出するときに前記ワイピング手段により前記記録ヘッドのインク吐出面をクリーニングするかどうかを決定する第２決定手段とを有することを特徴とするインクジェット記録装置。
【請求項２】
記録動作直前または記録動作中に所定の時間間隔で割り込み処理により所定の第１の閾値と前記カウント手段によるカウント結果とを比較する第１割り込み手段と、
前記排出手段による記録媒体の排出時に割り込み処理により所定の第２の閾値と前記カウント手段によるカウント結果とを比較する第２割り込み手段をさらに有することを特徴とする請求項１に記載のインクジェット記録装置。
【請求項３】
前記所定の第２の閾値は、前記所定の第１の閾値の値の６０〜８０％の値をとることを特徴とする請求項２に記載のインクジェット記録装置。
【請求項４】
前記第１決定手段は前記第１割り込み手段によって得られた比較結果を用いて前記決定を行い、一方、前記第２決定手段は前記第２割り込み手段によって得られた比較結果を用いて前記決定を行うことを特徴とする請求項２に記載のインクジェット記録装置。
【請求項５】
前記カウント手段は、前記記録ヘッドによる記録動作中にカウント動作を実行することを特徴とする請求項１に記載のインクジェット記録装置。
【請求項６】
前記ワイピング手段による前回のクリーニング動作からの経過時間を測定する測定手段をさらに有することを特徴とする請求項１乃至４のいずれかに記載のインクジェット記録装置。
【請求項７】
記録動作直前または記録動作中に所定の時間間隔で割り込み処理により所定の第１の閾値と前記カウント手段によるカウント結果とを比較する第１割り込み手段と、
前記排出手段による記録媒体の排出時に割り込み処理により所定の第３の閾値と前記測定手段によって測定された経過時間とを比較する第３割り込み手段をさらに有することを特徴とする請求項６に記載のインクジェット記録装置。
【請求項８】
前記第１決定手段は前記第１割り込み手段によって得られた比較結果を用いて前記決定を行い、一方、前記第２決定手段は前記第３割り込み手段によって得られた比較結果を用いて前記決定を行うことを特徴とする請求項７に記載のインクジェット記録装置。
【請求項９】
記録ヘッドから記録媒体へインクを吐出して記録を行うインクジェット記録装置であって、
前記記録媒体を装置外に排出する排出手段と、
前記記録ヘッドのインク吐出口面をクリーニングするためのワイピング手段と、
前記記録ヘッドから吐出されるインク液滴の数をカウントするカウント手段と、
所定の第１の閾値と前記カウント手段によるカウント結果とを比較することにより得られた比較結果に基づいて、前記記録ヘッドによる記録媒体１頁への記録中に前記ワイピング手段により前記記録ヘッドのインク吐出面をクリーニングするかどうかを決定する第１決定手段と、
前記所定の第１の閾値よりも小さな値である所定の第２の閾値と前記カウント手段によるカウント結果とを比較することにより得られた比較結果に基づいて、前記記録ヘッドにより記録された記録媒体を前記排出手段によって排出する直前、あるいは排出時、排出中、排出後に、前記ワイピング手段により前記記録ヘッドのインク吐出面をクリーニングするかどうかを決定する第２決定手段とを有し、
前記第１の決定手段は、前記カウント結果が前記所定の第１の閾値以上である場合にクリーニング動作を行い、前記カウント結果が前記所定の第１の閾値未満である場合にクリーニング動作を行わないと決定し、
前記第２の決定手段は、前記カウント結果が前記所定の第２の閾値以上である場合にクリーニング動作を行い、前記カウント結果が前記所定の第２の閾値未満である場合にクリーニング動作を行わないと決定することを特徴とするインクジェット記録装置。
【請求項１０】
記録媒体へインクを吐出して記録を行う記録ヘッドのインク吐出口面をワイピング手段によってクリーニングする際のクリーニング制御方法であって、
前記記録媒体を排出する排出工程と、
前記記録ヘッドから吐出されるインク液滴の数をカウントするカウント工程と、
前記カウント工程におけるカウント結果に基づいて、前記記録ヘッドによる記録媒体１頁への記録中に前記ワイピング手段により前記記録ヘッドのインク吐出面をクリーニングするかどうかを決定する第１決定工程と、
前記カウント工程におけるカウント結果に基づいて、前記記録ヘッドにより記録された記録媒体を排出するときに前記ワイピング手段により前記記録ヘッドのインク吐出面をクリーニングするかどうかを決定する第２決定工程とを有することを特徴とするクリーニング制御方法。
【請求項１１】
記録ヘッドから記録媒体へインクを吐出して記録を行うインクジェット記録装置であって、
前記記録媒体を装置外に排出する排出手段と、
前記記録ヘッドのインク吐出口面をクリーニングするためのワイピング手段と、
前記記録ヘッドから吐出されるインク液滴の数をカウントするカウント手段と、
前回のクリーニング動作からの経過時間を測定する測定手段と、
前記カウント手段によるカウント結果に基づいて、前記記録ヘッドによる記録媒体１頁への記録中に前記ワイピング手段により前記記録ヘッドのインク吐出口面をクリーニングするかどうかを決定する第１決定手段と、
前記測定手段による経過時間に基づいて、前記記録媒体を前記排出手段によって排出した後に前記ワイピング手段により前記記録ヘッドのインク吐出口面をクリーニングするかどうかを決定する第２決定手段とを有することを特徴とするインクジェット記録装置。
【請求項１２】
記録動作直前又は記録動作中に所定の時間間隔で割り込み処理により所定の第１の閾値と前記カウント手段によるカウント結果とを比較する第１割り込み手段と、
前記排出手段による記録媒体の排出時に、割り込み処理により所定の第２の閾値と前記測定手段によって測定された経過時間とを比較する第２割り込み手段とをさらに有することを特徴とする請求項１１に記載のインクジェット記録装置。
【請求項１３】
前記第１決定手段は前記第１割り込み手段によって得られた比較結果を用いて前記決定を行い、一方、前記第２決定手段は前記第２割り込み手段によって得られた比較結果を用いて前記決定を行うことを特徴とする請求項１２に記載のインクジェット記録装置。
【請求項１４】
記録媒体へインクを吐出して記録を行う記録ヘッドのインク吐出口面をワイピング手段によってクリーニングする際のクリーニング制御方法であって、
前記記録媒体を排出する排出工程と、
前記記録ヘッドから吐出されるインク液滴の数をカウントするカウント工程と、
前回のクリーニング動作からの経過時間を測定する測定工程と、
前記カウント工程におけるカウント結果に基づいて、前記記録ヘッドによる記録媒体１頁への記録中に前記ワイピング手段により前記記録ヘッドのインク吐出口面をクリーニングするかどうかを決定する第１決定工程と、
前記測定工程による経過時間に基づいて、前記記録媒体を前記排出工程において排出した後に前記ワイピング手段により前記記録ヘッドのインク吐出口面をクリーニングするかどうかを決定する第２決定工程とを有することを特徴とするクリーニング制御方法。
【請求項１５】
記録ヘッドから記録媒体へインクを吐出して記録を行うインクジェット記録装置であって、
前記記録媒体を装置外に排出する排出手段と、
前記記録ヘッドのインク吐出口面をクリーニングするためのワイピング手段と、
前記記録ヘッドから吐出されるインク液滴の数をカウントするカウント手段と、
所定の第１の閾値と前記カウント手段によるカウント結果とを比較することにより得られた比較結果に基づいて、前記記録ヘッドによる記録媒体１頁への記録中に前記ワイピング手段により前記記録ヘッドのインク吐出面をクリーニングするかどうかを決定する第１決定手段と、
前記所定の第１の閾値よりも小さな値である所定の第２の閾値と前記カウント手段によるカウント結果とを比較することにより得られた比較結果に基づいて、前記記録ヘッドにより記録された記録媒体を前記排出手段によって排出した後に前記ワイピング手段により前記記録ヘッドのインク吐出面をクリーニングするかどうかを決定する第２決定手段とを有し、
前記第１の決定手段は、前記カウント結果が前記所定の第１の閾値以上である場合にクリーニング動作を行い、前記カウント結果が前記所定の第１の閾値未満である場合にクリーニング動作を行わないと決定し、
前記第２の決定手段は、前記カウント結果が前記所定の第２の閾値以上である場合にクリーニング動作を行い、前記カウント結果が前記所定の第２の閾値未満である場合にクリーニング動作を行わないと決定することを特徴とするインクジェット記録装置。
【手続補正２】
【補正対象書類名】明細書
【補正対象項目名】００１３
【補正方法】変更
【補正の内容】
【００１３】
即ち、記録ヘッドから記録媒体へインクを吐出して記録を行うインクジェット記録装置であって、前記記録媒体を装置外に排出する排出手段と、前記記録ヘッドのインク吐出口面をクリーニングするためのワイピング手段と、前記記録ヘッドから吐出されるインク液滴の数をカウントするカウント手段と、前記カウント手段によるカウント結果に基づいて、前記記録ヘッドによる記録媒体１頁への記録中に前記ワイピング手段により前記記録ヘッドのインク吐出面をクリーニングするかどうかを決定する第１決定手段と、前記カウント手段によるカウント結果に基づいて、前記記録ヘッドにより記録された記録媒体を前記排出手段によって排出するときに前記ワイピング手段により前記記録ヘッドのインク吐出面をクリーニングするかどうかを決定する第２決定手段とを有することを特徴とするインクジェット記録装置を備える。


【手続補正３】
【補正対象書類名】明細書
【補正対象項目名】００２０
【補正方法】変更
【補正の内容】
【００２０】
また他の発明によれば、記録媒体へインクを吐出して記録を行う記録ヘッドのインク吐出口面をワイピング手段によってクリーニングする際のクリーニング制御方法であって、前記記録媒体を排出する排出工程と、前記記録ヘッドから吐出されるインク液滴の数をカウントするカウント工程と、前記カウント工程におけるカウント結果に基づいて、前記記録ヘッドによる記録媒体１頁への記録中に前記ワイピング手段により前記記録ヘッドのインク吐出面をクリーニングするかどうかを決定する第１決定工程と、前記カウント工程におけるカウント結果に基づいて、前記記録ヘッドにより記録された記録媒体を排出するときに前記ワイピング手段により前記記録ヘッドのインク吐出面をクリーニングするかどうかを決定する第２決定工程とを有することを特徴とするクリーニング制御方法を備える。


【手続補正４】
【補正対象書類名】明細書
【補正対象項目名】００２１
【補正方法】変更
【補正の内容】
【００２１】
さらに他の発明によれば、記録ヘッドから記録媒体へインクを吐出して記録を行うインクジェット記録装置であって、前記記録媒体を装置外に排出する排出手段と、前記記録ヘッドのインク吐出口面をクリーニングするためのワイピング手段と、前記記録ヘッドから吐出されるインク液滴の数をカウントするカウント手段と、前回のクリーニング動作からの経過時間を測定する測定手段と、前記カウント手段によるカウント結果に基づいて、前記記録ヘッドによる記録媒体１頁への記録中に前記ワイピング手段により前記記録ヘッドのインク吐出口面をクリーニングするかどうかを決定する第１決定手段と、前記測定手段による経過時間に基づいて、前記記録媒体を前記排出手段によって排出した後に前記ワイピング手段により前記記録ヘッドのインク吐出口面をクリーニングするかどうかを決定する第２決定手段とを有することを特徴とするインクジェット記録装置を備える。


【手続補正５】
【補正対象書類名】明細書
【補正対象項目名】００２４
【補正方法】変更
【補正の内容】
【００２４】
さらに他の発明によれば、記録媒体へインクを吐出して記録を行う記録ヘッドのインク吐出口面をワイピング手段によってクリーニングする際のクリーニング制御方法であって、前記記録媒体を排出する排出工程と、前記記録ヘッドから吐出されるインク液滴の数をカウントするカウント工程と、前回のクリーニング動作からの経過時間を測定する測定工程と、前記カウント工程におけるカウント結果に基づいて、前記記録ヘッドによる記録媒体１頁への記録中に前記ワイピング手段により前記記録ヘッドのインク吐出口面をクリーニングするかどうかを決定する第１決定工程と、前記測定工程による経過時間に基づいて、前記記録媒体を前記排出工程において排出した後に前記ワイピング手段により前記記録ヘッドのインク吐出口面をクリーニングするかどうかを決定する第２決定工程とを有することを特徴とするクリーニング制御方法を備える。


【手続補正６】
【補正対象書類名】明細書
【補正対象項目名】００４３
【補正方法】変更
【補正の内容】
【００４３】
また、４５は記録ヘッド１ａに対するプリントデータの供給制御を行うゲートアレイ（Ｇ．Ａ．）であり、インタフェース４１とＭＰＵ４２とＤＲＡＭ４４との間のデータの転送制御も行うようになっている。２０は記録用紙搬送のための搬送モータ、４６は記録ヘッド１ａを駆動するためのヘッドドライバ、４７と４８はそれぞれ搬送モータ２０とキャリアモータ４を駆動するためのモータドライバである。


【手続補正７】
【補正対象書類名】明細書
【補正対象項目名】００６０
【補正方法】変更
【補正の内容】
【００６０】
最後にステップＳ１６５では、記録データがまだあるかどうか、即ち、次の頁への記録を行うための記録データがあるかどうかを調べる。ここで、そのような記録データがあれば、処理はステップＳ１１５に戻り、新たな記録紙を給紙して記録動作を続行する。これに対して、ホストから記録データがもう送られてきていなければ、処理は終了し、キャリッジ２は記録待機位置で待機するか、或は、ホームポジションに戻り、記録ヘッド１ａにキャップして次の記録開始命令が送られてくるまで待機しているようにする。


【手続補正８】
【補正対象書類名】明細書
【補正対象項目名】００７４
【補正方法】変更
【補正の内容】
【００７４】
図８によれば、前述の実施形態に加えて、この実施形態におけるワイピング動作の実行制御には、前回のワイピング動作からの経過時間をカウントするためのタイムカウント処理５０４が追加されている。


【手続補正９】
【補正対象書類名】明細書
【補正対象項目名】００７９
【補正方法】変更
【補正の内容】
【００７９】
まず、記録開始命令を受けるとステップＳ１００〜Ｓ１０５の後、処理はステップＳ１１０′において、ドットカウンタ（Ｎｄ）、タイムカウンタ（Ｔ）、及び、ワイピングフラグ（ＷＦＬＧＡ、ＷＦＬＧＢ）の値を全てリセットして、記録ドット数のカウントとタイムカウンタによる時間計測をスタートさせる。